(57)【要約】      （修正有）【課題】不適切に切り替えられるのを防止し、さらにはボールバルブの実用的価値を高めるボールバルブの定位構造を提供する。【解決手段】ボールバルブの定位構造は、取水口１１、出水口１２を有するボディ１が設けられ、ボディにステム２が設けられる。ステムの最上部にハンドル３が設けられ、ハンドルの回転により、ボディは開成または閉成を構成する。穿孔１３の縁部に止め棒１４および結合部１５が設けられる。ハンドルの末端に支持部３１が設けられ、ハンドルに貫通孔３２が設けられ、さらに保持環４が外嵌される。止め棒は支持部に対して位置制限を行い、ハンドルを１８０°回転させるとともに、ボールバルブを様々な場所に適応させ、左または右に回転させて開成するように構成される。開成状態のとき、保持環を結合部に保持することができ、施錠具をハンドルの貫通孔に挿着して保持環をロックできる。【選択図】図１
0003219456.tif 000002
【実用新案登録請求の範囲】
【請求項１】
ボールバルブの定位構造であって、取水口および出水口を有するボディが設けられ、ボディ上方に該取水口および出水口と９０°を呈する穿孔が設けられ、ボディの内部にポートを有するボールが設けられ、ボールをステムにピン接合し、該ステムはボディの穿孔に挿設された後、ハンドルに固定され、ハンドルがステムを回転させ、該ハンドルの末端に下に屈曲する支持部が設けられ、ハンドルの回転により、ボールのポートはボディの取水口および出水口と平行になり、これにより１つの通路が形成されて開成を構成するか、または通路が遮断されて閉成を構成するボールバルブの定位構造であって、
該穿孔の縁部に止め棒および結合部がそれぞれ設けられ、さらに該ハンドルに、ハンドルに沿って移動することができる保持環が外嵌され、止め棒により該ハンドル末端の支持部に対する位置制限を構成し、ハンドルを１８０°回転させることができ、さらにはボールバルブを様々な取付場所に適応させることができ、左または右に回転させて開成するように構成され、開成状態のとき、保持環を結合部に保持させることができ、これによりハンドルの定位を構成することを特徴とする定位構造。
【請求項２】
該結合部は対称に並んだ２つの棒体である、請求項１に記載のボールバルブの定位構造。
【請求項３】
該保持環に環状体が設けられ、環状体底の縁部から弧状のストリップが延伸し、環状体をハンドルに外嵌することにより、環状体をハンドルに沿って移動させることができ、ストリップを結合部の２つの棒体間に嵌め込むことにより定位を構成する、請求項１に記載のボールバルブの定位構造。
【請求項４】
該ハンドルに貫通孔が設けられ、保持環を結合部に保持させた後、施錠具を該貫通孔に挿着すると、保持環を引くことができず、さらには保持環のストリップを結合部から離脱させることができず、これによりハンドルが不適切に切り替えられることを防止する、請求項１に記載のボールバルブの定位構造。
【考案の詳細な説明】
【技術分野】
【０００１】
本考案はボールバルブの定位構造に関し、特に様々な場所に適応することができ、左または右に回転させて開成するように構成され、さらにこれを固定して不適切な切換を防止することができるボールバルブの定位構造を指す。
【背景技術】
【０００２】
ボールバルブの主な特徴は、それ自体の構造がコンパクトで、操作および補修が容易であり、水、溶剤、酸および天然ガスなど一般的な作動媒体に適用され、さらに作動条件が劣悪な媒体、例えば酸素、過酸化水素、メタンおよびエチレンなどにも適用されることである。ボールバルブは、管路中で主に媒体の流動方向を切断、分配および変更するのに用いられる。ボールバルブの主な構造としては、ポートを有するボールが内部に設けられ、ボールを動かすことができるハンドルが組み合わされる。ボールが９０°回転するとき、入口、出口部分はいずれも球面を呈さなくてはならず、これにより流動を遮断する。ボールが回転して戻るとき、ボールのポートはバルブゲートの軸と平行になり、１つの通路が形成される。ボールバルブは９０°回転させる操作と、小さな回転トルクとを必要とするのみで、開閉を厳密に行うことができる。完全に均等なバルブ体の内部空洞は、抵抗力が小さく、直通の流路を媒体に提供している。ボールバルブの動作原理としては、弁を回転させることにより、バルブゲートを開通または閉鎖させる。ボールバルブの開閉は手軽で、体積は小さく、大きな口径にすることができる。密封は信頼でき、構造は簡単で、補修が便利である。密封面および球面は常に閉成状態にあり、媒体に侵食されにくく、各業界で幅広く応用されている。
【０００３】
既知のボールバルブのハンドルは９０°にしか回転することができず、単一方向のみの回転である。したがって、取付場所が該方向の回転に適応することができないとき、施工が困難となる。さらに、既知のボールバルブは流体を制御する以外に、その他の付加機能、特に定位、ロック機能を備えていない。したがって、ボールバルブを使用中に不適切に切り替えられた場合、正常な作業に影響を及ぼす可能性があり、さらには原因不明の損失が生じる。出願人はこのことを考慮して、不断の研究、実験の結果、ボールバルブの改良構造を設計することに成功した。ボールバルブのハンドルを１８０°回転させることができ、左または右に回転させて開成するように構成される。
【考案の概要】
【考案が解決しようとする課題】
【０００４】
本考案の主な目的は、ボールバルブの定位構造を提供することである。ボールバルブのハンドルを１８０°回転させることができ、これにより様々な取付場所に適応させ、左または右に回転させて開成するように構成される。さらにボールバルブのハンドルを定位することができ、不適切に切り替えられるのを防止し、さらにはボールバルブの実用的価値を高める。
【課題を解決するための手段】
【０００５】
前記ボールバルブの定位構造において、取水口、出水口を有するボディが設けられ、該ボディにステムが設けられる。該ステムの最上部にハンドルが設けられ、ハンドルの回転により、ボディは開成または閉成を構成する。このうち、該穿孔の縁部に止め棒および結合部が設けられる。該ハンドルの末端に支持部が設けられ、該ハンドルに貫通孔が設けられ、さらに保持環が外嵌される。止め棒は該支持部に対して位置制限を行い、ハンドルを１８０°回転させることができ、さらにはボールバルブを様々な場所に適応させることができ、左または右に回転させて開成するように構成される。開成状態のとき、保持環を結合部に保持させることができ、さらに施錠具をハンドルの貫通孔に挿着すると、保持環を引くことができず、これにより不適切に切り替えられるのを防止し、さらにはボールバルブの実用的価値を高める。
【０００６】
前記ボールバルブの定位構造において、該ボディの穿孔の縁部に設けた結合部は、対称に横に並んだ２つの棒体である。
【０００７】
前記ボールバルブの定位構造において、該ハンドルに外嵌される保持環に、環状体が設けられ、環状体底の縁部から弧状のストリップが延伸する。ストリップがボディの結合部に保持され、これにより定位を構成する。
【図面の簡単な説明】
【０００８】
【図１】図１は、本考案の立体図である。
【図２】図２は、本考案の俯瞰図である。
【図３】図３は、本考案の操作状態図である。
【図４】図４は、本考案の保持動作の状態図である。
【図５】図５は、本考案の保持動作の状態図である。
【図６】図６は、本考案のロック、定位の状態図である。
【考案を実施するための形態】
【０００９】
図１および図２を同時に参照されたい。図１および図２は、本考案の立体図および俯瞰図である。図に示すように、本考案に、取水口１１および出水口１２を有するボディ１が設けられ、該取水口１１端および出水口１２端は、それぞれネジ山による連接端を構成し、様々な形状の管体を接続するのに有利である。ボディ１の上方に垂直の穿孔１３が設けられ、該穿孔１３の縁部に、２つの止め棒１４および結合部１５がそれぞれ設けられる。本実施例において、該２つの止め棒１４は取水口１１および出水口１２と９０°の方向を呈し、該結合部１５は対称に並んだ２つの棒体１５１であり、該２つの棒体１５１は取水口１１および出水口１２と同じ方向を呈する。該ボディ１の内部にポートを有するボールが設けられ、ボールが９０°回転するとき、入口、出口部分はいずれも球面を呈するべきであり、これにより流動を遮断する。ボールが回転して戻るとき、ボールのポートはバルブゲートの軸と平行になり、１つの通路が形成される。ボディ１内部のボールは既知であるため、本明細書では省略する。
【００１０】
ステム２は、ボディ１の穿孔１３に挿設され、ボディ１内部のボールに嵌め込まれる。
【００１１】
ハンドル３は、その末端に下に屈曲した支持部３１が設けられ、該ステム２を該ハンドル３に挿設して固定し、さらにはハンドル３によりステム２を回転させることができる。該ハンドル３に貫通孔３２が設けられ、さらに該ハンドル３に保持環４が外嵌され、該保持環４に環状体４１が設けられ、環状体４１底の縁部から弧状のストリップ４２が延伸する。環状体４１をハンドル３に外嵌することにより、環状体をハンドル３に沿って移動させることができる。
【００１２】
前記部材の組合せにより、ボールバルブの改良構造を構成する。ハンドル３の回転により、ボールのポートはボディ１の取水口１１および出水口１２と平行になり、これにより１つの通路が形成されて開成を構成するか、またはボールが取水口１１および出水口１２のいずれでも球面を呈し、これにより通路が遮断されて閉成を構成する（これは既知の構造である）。回転過程において、穿孔１３の両側に設けた止め棒１４により、該ハンドル３末端の支持部３１に対する位置制限を構成する。ハンドル３を１８０°回転させることができ、さらにはボールバルブを様々な場所に適応させることができ、左または右に回転させて開成を構成する。開成状態のとき、保持環４を結合部１５に保持させることができ、さらに施錠具をハンドル３の貫通孔３２に挿着すると、保持環４を引くことができず、これによりハンドル３が不適切に切り替えられるのを防止し、さらにはボールバルブの実用的価値を高める。
【００１３】
図３を図１と組み合わせて参照されたい。図３は、本考案の操作状態図である。図に示すように、本考案を使用するとき、このうちのハンドル３は、ステム２を介してボディ１内部のボールを回転させる。このうち、ポートが取水口１１および出水口１２と平行になる（ハンドル３およびボディ１が平行を呈する）までボールが回転されるとき、通路が形成され、水を通過させて開成状態を構成することができる。ポートが取水口１１および出水口１２と９０°を呈する（ハンドル３およびボディ１が９０°を呈する）までボールが回転されるとき、通路が遮断されて閉成状態を構成する。前記回転過程において、ボディ１の穿孔１３の縁部に止め棒１４がそれぞれ設けられ、ハンドル３を左に回転または右に回転させるとき（左への回転または右への回転に関わらず、ハンドル３はいずれもボディ１と９０°を呈する）、ハンドル３末端に設けられる支持部３１は止め棒１４に支持され、これにより位置制限を構成し、過度に回転して損傷するのを防止する。このように、左に回転または右に回転させて開成することができる機能により、ボールバルブを様々な場所に適用させることができる。既知のボールバルブが単一方向にしか回転することができず、施工が困難となるようなことはなく、さらにはボールバルブの実用的価値を高める。
【００１４】
図４および図５を同時に参照されたい。図４および図５は、本考案の保持動作の状態図である。図に示すように、本考案が開成状態にある（ハンドル３およびボディ１が平行を呈する）とき、ハンドル３に外嵌された保持環４をハンドル３に沿って下にスライドさせ、保持環底の縁部のストリップ４２を結合部１５に保持させることができ（２つの棒体１５１の間に嵌め込む）、これにより定位作用を構成し、誤動作により作業に影響を及ぼすのを防止する。
【００１５】
図６を図４および図５と組み合わせて参照されたい。図６は、本考案のロック、定位の状態図である。本考案は開成状態で、保持環４をハンドル３に沿って下にスライドさせることができ、保持環底の縁部に設けたストリップ４２を結合部１５に保持させた後、簡易型の施錠具５をハンドル３の貫通孔３２に挿着し、ロックすることができる。保持環４を引くことができず、さらにはそのストリップ４２を結合部１５から離脱させることができず、これによりハンドル３が不適切に切り替えられるのを防止し、さらにはボールバルブの実用的価値を高める。
【００１６】
前記実施例は、本考案の好ましい実施方式を説明したに過ぎず、本考案の範囲を制限しない。少しの修飾、変更は、いずれも本考案の重要な要点を失っておらず、本考案の主旨の範疇を逸脱しない。
【００１７】
上記をまとめると、本考案は対称な止め部および結合部を設けたボディに、支持部、貫通孔および保持環を設けたハンドルを組み合わせて、ボールバルブの定位構造を構成する。ボールバルブのハンドルを１８０°回転させることができ、様々な取付場所に適応させ、左または右に回転させて開成するように構成される。開成状態のとき、ハンドルが不適切に切り替えられるのを防止することができ、さらにはボールバルブの実用的価値を高める。実用的な設計であり、確かに新規性を有する考案であるため、法に基づき、特許を出願する。貴庁による審査を経て、一日も早く特許を取得できることを望みます。よろしくお願いいたします。
【符号の説明】
【００１８】
１  ボディ
１１  取水口
１２  出水口
１３  穿孔
１４  止め棒
１５  結合部
１５１  棒体
２  ステム
３  ハンドル
３１  支持部
３２  貫通孔
４  保持環
４１  環状体
４２  ストリップ
５  施錠具
【図１】
0003219456.tif 000003
【図２】
0003219456.tif 000004
【図３】
0003219456.tif 000005
【図４】
0003219456.tif 000006
【図５】
0003219456.tif 000007
【図６】
0003219456.tif 000008